(57)【要約】【課題】桁材の施工性が良い階段の製造方法を提供する。【解決手段】本発明にかかる階段の製造方法は、壁面５に取り付ける上金具３と、床に取り付ける下金具１３と、桁材１５とを備え、下記の工程を有する。  （１）壁面５に上金具３を取り付ける工程  （２）上金具３に下金具１３の位置出しをする伸縮棒９の上端９ａを取り付け、桁材１５の長さに合わせた伸縮棒９の下端９ｂに、下金具１３を取り付けて下金具１３を位置決め固定する工程  （３）上金具３及び下金具１３から伸縮棒９を外して、上金具３及び下金具１３に桁材１５を取り付ける工程。【選択図】図１
2019190042.tif 000002
【特許請求の範囲】
【請求項１】
壁面に取り付ける上金具と、床に取り付ける下金具と、桁材とを備え、下記の工程を有する階段の製造方法
（１）壁面に上金具を取り付ける工程
（２）上金具に下金具の位置出しをする伸縮棒の上端を取り付け、桁材の長さに合わせた伸縮棒の下端に、下金具を取り付けて下金具を位置決め固定する工程
（３）上金具及び下金具から伸縮棒を外して、上金具及び下金具に桁材を取り付ける工程。
【発明の詳細な説明】
【技術分野】
【０００１】
本発明は、階段の製造方法に関する。
【背景技術】
【０００２】
従来は、墨出しした壁面と床に夫々、上金具と下金具を取り付け、上金具と下金具とに桁材を取り付けていた。
【発明の概要】
【発明が解決しようとする課題】
【０００３】
しかし、現場によっては壁や床が傾いているため、桁材のボルト孔と上下金具のボルト孔の位置が合わず、桁材の施工が難しいという問題があった。
【０００４】
そこで、本発明は、桁材の施工性が良い階段の製造方法の提供を目的とする。
【課題を解決するための手段】
【０００５】
請求項１に記載の発明は、壁面に取り付ける上金具と、床に取り付ける下金具と、桁材とを備え、下記の工程を有する階段の製造方法である。
（１）壁面に上金具を取り付ける工程
（２）上金具に下金具の位置出しをする伸縮棒の上端を取り付け、桁材の長さに合わせた伸縮棒の下端に、下金具を取り付けて下金具を位置決め固定する工程
（３）上金具及び下金具から伸縮棒を外して、上金具及び下金具に桁材を取り付ける工程
【発明の効果】
【０００６】
請求項１に記載の発明によれば、上金具の位置を基準に、桁材の寸法に合わせた伸縮棒を用いて下金具の位置決めをして下金具を床に固定するため、下金具の位置決めが容易であり、桁材の施工性が良いと共に施工誤差が少ない。
【図面の簡単な説明】
【０００７】
【図１】本発明の実施の形態にかかる階段の製造方法を工程毎に示した側面図であり、（ａ）は壁面に上金具を取り付ける工程、（ｂ）は壁面の上金具に桁材の長さに合わせた伸縮棒の上端を取り付ける工程、（ｃ）は下金具を伸縮棒の下端に取り付け、下金具を床に位置決め固定する工程、（ｄ）は上金具及び下金具から伸縮棒を取り外す工程、（ｅ）は上金具及び下金具に桁材を取り付ける工程である。
【図２】施工前の桁材の斜視図である。
【図３】上端及び下端に伸縮棒取り付け治具を取り付けた伸縮棒の斜視図である。
【図４】伸縮棒の長さを桁材の長さに合わせる工程を示す側面図である。
【図５】壁面に上金具を取り付けた状態を示す斜視図である。
【図６】左右の上金具の間隔を確認する工程を示す正面図である。
【図７】上金具に伸縮棒の上端を取り付けた状態を示す斜視図である。
【図８】伸縮棒の下端に下金具を取り付け状態で、下金具を床に当接させた斜視図である。
【図９】壁面に上金具、床に下金具を夫々取り付けた状態を示す斜視図である。
【図１０】床と壁面間に桁材が設置された状態を示す斜視図である。
【図１１】本発明の実施の形態にかかる階段の側面図である。
【発明を実施するための形態】
【０００８】
以下に、添付図面を参照して本発明の実施の形態に係る階段の施工方法を説明する。
（０）準備工程
はじめに、施工現場に桁材１５及び伸縮棒９を搬入し、以下に示す作業を行う。
（０−１）桁材１５からの上金具３及び下金具１３の取り外し
図２に示すように、施工前の桁材１５には、上金具３及び下金具１３が桁材１５の中空内に収めて取り付けてある。上金具３はそのボルト孔３ｂの位置と桁材１５の上側ボルト孔１５ｂの位置を合わせ、専用ボルト５１を上側ボルト孔１５ｂに螺合し、上金具３のボルト孔３ｂに挿通して、上金具３がバネ座金５３と共に桁材１５に取り付けてある。また、下金具１３はそのボルト孔１３ｂの位置と桁材１５の下側ボルト孔１５ｃの位置とを合わせ、専用ボルト５１を下側ボルト孔１５ｃに螺合し、下金具１３のボルト孔１３ｂに挿通して、下金具１３がバネ座金５３及び平座金５５と共に桁材１５に取り付けてある。
よって、専用ボルト５１を取り外すことで、上金具３及び下金具１３を桁材１５の中空から取り外す。
【０００９】
ここで、上金具３及び下金具について説明する。
図２及び図５に示すように、上金具３は、壁面５に取り付ける際に壁面５に当接する壁当接部３ｅと、壁当接部３ｅの両端から垂直に立ち上がる立上部３ｆとを有し、壁当接部３ｅと立上部３ｆ、３ｆとでコ字を形成している。壁当接部３ｅには直列に３つのネジ孔３ａが形成され、各立上部３ｆにはボルト孔３ｂが形成されている。
【００１０】
図２及び図９に示すように、下金具１３は、床７に取り付ける際に床７に当接する床当接部１３ｅと、床当接部１３ｅの両端から垂直に立ち上がる立上部１３ｆとを有し、床当接部１３ｅと、立上部１３ｆ、１３ｆとでコ字を形成している。床当接部１３ｅには直列に３つのネジ孔１３ａが形成され、各立上部１３ｆにはボルト孔１３ｂが形成されている。
【００１１】
（０−２）伸縮棒９への治具１１の取り付け
図３に示すように、伸縮棒９の上端９ａ及び下端９ｂに伸縮棒取り付け治具１１をネジ等の締結具５９で取り付ける。
伸縮棒９は、筒状の第１棒部材９ｃと、筒状の第２棒部材９ｄと、第３棒部材９ｅと、第１調整つまみ９ｆ、第２調整つまみ９ｇとを有する。
第２棒部材９ｄは第１棒部材９ｃにスライド可能に収まっており、第３棒部材９ｅは第２棒部材９ｄにスライド可能に収まっている。
第１調整つまみ９ｆは、第１棒部材９ｃに対する第２棒部材９ｄの位置を固定するための部品であり、第２調整つまみ９ｇは、第２棒部材９ｄに対する第３棒部材９ｅの位置を固定するための部品である。
したがって、伸縮棒９は伸縮して長さを調整可能な構成である。
伸縮棒取り付け治具１１は、伸縮棒９に固定する棒固定部１１ｃと、上金具３又は下金具１３に取り付ける金具取付部１１ｂとを有し、棒固定部１１ｃと金具取付部１１ｂとでＬ字を形成する。金具取付部１１ｂにはボルト孔１１ａが形成されている。
【００１２】
（１）壁面５に上金具３、３を取り付ける工程（図１（ａ）参照）
（１−１）上金具３の取り付け位置の墨出し
図５に示すように、床７に対する垂直墨出し線３３と、床７に対する水平墨出し線３５とを墨出しする。またコーチネジ６１用の取り付け孔の位置を墨出しする。垂直墨出し線３３の墨出しの際には、例えばガムテープ等の貼付材３７を壁面５に貼り付け、その貼付材３７に垂直墨出し線３３を引く。
（１−２）上金具３、３の取り付け
墨出しした取り付け孔位置にコーチネジ６１の取り付け孔をあけ、上金具３を壁面５にコーチネジ６１で取り付ける（図５参照）。このとき、図５に示すように、水平墨出し線３５に上金具３の上端を合わせ、上金具３の立上部３ｆが垂直墨出し線３３に対して平行になるように取り付ける。
（１−３）上金具３、３の間隔を確認する
図６に示すように、透明な治具である間隔確認治具１９には、下端を切り欠いた切欠部１９ａ、１９ａが、所定の間隔Ｌをあけて形成されている。各切欠部１９ａに壁面５に取り付けられた上金具３、３をはめ込むように間隔確認治具１９を壁面５に当接し、例えば、上金具３の立上部３ｆの左側を切欠部１９ａの左端に合わせて、上金具３、３の間隔を確認する。
【００１３】
（２）下金具１３を位置決めし、固定する工程（図１（ｂ）（ｃ）参照）
（２−１）下金具１３の取り付け位置の墨出し
図９に示すように、壁面５の上金具３に対して左右方向Ｘの下金具１３の取り付け位置を合わせるために、上金具３を取り付ける際に墨出しした垂直墨出し線３３に対してまっすぐな床墨出し線３９を墨出しする。このとき、例えばガムテープ等の貼付材３７を床７に貼り付け、その貼付材３７に床墨出し線３９を引く。
【００１４】
（２−２）上金具３への伸縮棒９の取り付け
上金具３に伸縮棒９を取り付ける前に、伸縮棒９の長さを桁材１５の長さに合わせておく。
具体的には、図４に示すように、伸縮棒９の上端９ａ側の伸縮棒取り付け治具１１のボルト孔１１ａの位置を、桁材１５のステップ受け１５ａに近い上側ボルト孔１５ｂの位置に合わせ、専用ボルト５１をボルト孔１１ａに挿通し、上側ボルト孔１５ｂに螺合して取り付ける。
次に、伸縮棒９の下端９ｂの伸縮棒取り付け治具１１のボルト孔１１ａの位置を、桁材１５のステップ受け１５ａに近い下側ボルト孔１５ｃの位置に合わせ、専用ボルト５１をボルト孔１１ａに挿通し、下側ボルト孔１５ｃに螺合して取り付ける。このとき、第２棒部材９ｄ材及び第３棒部材９ｅをスライドさせて、伸縮棒９を適切な長さに調整する。
その後、第１調整つまみ９ｆ及び第２調整つまみ９ｇを締めて、第１棒部材９ｃと第２棒部材９ｄと第３棒部材９ｅとの相対的な位置を固定することで、伸縮棒９の長さを固定する。
次に、伸縮棒９の上端９ａ及び下端９ｂ側の各伸縮棒取り付け治具１１を桁材１５に取り付けた専用ボルト５１を取り外す。
【００１５】
続いて、図１（ｂ）に示すように、壁面５に取り付けられた上金具３に伸縮棒９の上端９ａを取り付ける。具体的には、図７に示すように、壁面５に取り付けた上金具３の上側のボルト孔３ｂの位置と伸縮棒９の上端９ａの伸縮棒取り付け治具１１のボルト孔１１ａの位置とを合わせ、これらのボルト孔３ｂ、１１ａに専用ボルト５１を挿通して上金具３の一方の立上部３ｆに伸縮棒取り付け治具１１を回動可能に取り付ける。
（２−３）伸縮棒９への下金具１３の取り付け
図１（ｃ）に示すように、伸縮棒９の下端９ｂに下金具１３を取り付ける。具体的には、図１（ｃ）及び図８に示すように、下金具１３を床７に固定する際において、伸縮棒９の下端９ｂの伸縮棒取り付け治具１１のボルト孔１１ａの位置に、下金具１３の壁面５から遠い方のボルト孔１３ｂの位置を合わせて、これらのボルト孔１３ｂ、１１ａに専用ボルト５１を挿通して伸縮棒取り付け治具１１に下金具１３の一方の立上部１３ｆを回動可能に取り付ける。そして、下金具１３を床７に当接する。
これにより、床７に対する前後方向Ｙ（図９参照）の下金具１３の取り付け位置が決まる（位置出しが完了する）。
（２−４）下金具１３を床７に固定する
下金具１３の中心を床墨出し線３９に合わせ、床７に下金具１３のコーチネジ６１用の取り付け孔の位置を墨出しし、墨出しした取り付け孔の位置に取り付け孔をあけ、下金具１３をコーチネジ６１で床７に固定する（図９参照）。このとき、伸縮棒９の取り付けに使用している下金具１３のボルト孔１３ｂが、壁面５から遠い側（図１（ｃ）参照）になるように下金具１３を固定する。また、立上部１３ｆが床墨出し線３９に対して平行になるように固定する。
（２−５）床７に取り付けた下金具１３、１３の間隔を確認する
上述した上金具３、３の間隔の確認と同様に、間隔確認治具１９を用いて、下金具１３、１３の間隔を確認する。
【００１６】
（３）上金具３及び下金具１３に桁材１５を取り付ける工程（図１（ｄ）（ｅ）参照）
（３−１）上金具３及び下金具１３からの伸縮棒９の取り外し
図１（ｄ）及び図９に示すように、伸縮棒９の上端９ａの伸縮棒取り付け治具１１を上金具３に取り付けている専用ボルト５１を外し、伸縮棒９の下端９ｂの伸縮棒取り付け治具１１を下金具１３に取り付けている専用ボルト５１を外して、伸縮棒９を上金具３及び下金具１３から取り外す。
【００１７】
（３−２）上金具３及び下金具１３への桁材１５の取り付け
図１（ｅ）に示すように、上金具３のボルト孔３ｂの位置と桁材１５の上側ボルト孔１５ｂの位置とを合わせ、専用ボルト５１を上側ボルト孔１５ｂに螺合し、上金具３のボルト孔３ｂに挿通して上金具３に桁材１５の上側を取り付ける。また、下金具１３のボルト孔１３ｂの位置と桁材１５の下側ボルト孔１５ｃの位置とを合わせ、専用ボルト５１を下側ボルト孔１５ｃに螺合し、下金具１３のボルト孔１３ｂに挿通して下金具１３に桁材１５の下側を取り付ける。
このようにして、床７と壁面５との間に桁材１５を設置する（図１０参照）。
【００１８】
（４）ステップ、支柱等を取り付ける工程
図１１に示すように、桁材１５に取り付けてある各ステップ受け１５ａにステップ２１を取り付ける。次に、各支柱２３を所定間隔でステップ２１に取り付け、各支柱２３、２３間にパネル板２５を取り付ける。そして、各支柱２３に架設するように手すり受け２７を取り付け、その手すり受け２７に手すり２９を取り付ける。
【００１９】
実施の形態にかかる階段の製造方法の作用効果について説明する。
上金具３の取り付け位置を基準にして、桁材１５の寸法に合わせた伸縮棒９を用いて下金具１３の位置決めをして下金具１３を床７に固定するため、壁や床７が傾いている場合であっても、下金具１３の位置決めが容易であり、桁材１５の施工性が良いと共に施工誤差が少ない。
さらに、上金具３の取り付け位置を基準にしているため、上金具３の高さは変わらないことから、階段の蹴上げ寸法が変わらない。
【００２０】
図２に示すように、施工前の桁材１５に上金具３及び下金具１３が専用ボルト５１で取り付けてあるため、桁材１５を施工する際に、上金具３、下金具１３及び専用ボルト５１を別途準備する手間を省くことができる。また、準備忘れを防止できる。
さらに、上金具３及び下金具１３は桁材１５の中空に取り付けてあるため、桁材１５を施工現場に搬入する際に嵩張らない。
図３に示すように、伸縮棒９は、全長がスライドにより調整可能な構成であるため、様々な寸法の桁材１５の施工の際に使用することができる。
【００２１】
本発明は、上述した実施の形態に限らず、本発明の要旨を逸脱しない範囲で種々変形可能である。
例えば、上金具３及び下金具１３は必ずしも桁材１５に取り付けていなくても良く、桁材１５とは別に梱包しても良い。
桁材１５からの上金具３及び下金具１３の取り外しは、伸縮棒９の長さを桁材１５の長さに合わせる前に行えば良く、伸縮棒９への伸縮棒取り付け治具１１の取り付けよりも後に行っても良い。
桁材１５を上金具３、下金具１３、伸縮棒取り付け治具１１に取り付ける際、専用ボルト５１を螺合により取り付けることに限らず、挿通により取り付けても良い。この場合、専用ボルト５１に代えてピン等の挿通部材を用いても良い。
伸縮棒９は伸縮棒取り付け治具１１を別途取り付ける構成ではなく、伸縮棒取り付け治具１１と一体の構成であっても良い。
また、桁材１５のステップ受け１５ａから遠い上側ボルト孔１５ｂ及び下側ボルト孔１５ｃに伸縮棒取り付け治具１１のボルト孔１１ａを合わせることで、伸縮棒９の長さを桁材１５の寸法に合わせても良い。その場合、壁面５に取り付けられた上金具３の下側のボルト孔３ｂと伸縮棒９の上端９ａ側の伸縮棒取り付け治具１１のボルト孔１１ａとに専用ボルト５１を挿通して伸縮棒９を上金具３に取り付ける。また、下金具１３を床７に取り付ける際に壁面５に近い側となるボルト孔１３ｂと伸縮棒取り付け治具１１のボルト孔１１ａとに専用ボルト５１を挿通して伸縮棒９を下金具１３に取り付ける。
伸縮棒９の下端９ｂへの下金具１３の取り付けは、伸縮棒９の長さを桁材１５の長さに合わせた後、且つ下金具１３を床７に固定する前に行えば良く、必ずしも上金具３に伸縮棒９の上端９ａを取り付けた後に行わなくとも良い。
伸縮棒９を上金具３及び下金具１３に取り付ける場合、上金具３に伸縮棒９の下端９ｂを取り付け、下金具１３に伸縮棒９の上端９ａを取り付けても良い。
伸縮棒９は、第１棒部材９ｃと、第２棒部材９ｄと、第３棒部材９ｅとの３つの棒部材で構成することに限らず、２つ又は４つの棒部材で長さを伸縮自在に構成しても良い。
間隔確認治具１９を用いて壁面５に取り付けた上金具３、３の間隔の確認する際に、上金具３の立上部３ｆの右側を切欠部１９ａの右端に合わせて、上金具３、３の間隔を確認しても良い。
【符号の説明】
【００２２】
３    上金具
５    壁面
７    床
９    伸縮棒
９ａ    上端
９ｂ    下端
１３    下金具
１５    桁材
【図１】
2019190042.tif 000003
【図２】
2019190042.tif 000004
【図３】
2019190042.tif 000005
【図４】
2019190042.tif 000006
【図５】
2019190042.tif 000007
【図６】
2019190042.tif 000008
【図７】
2019190042.tif 000009
【図８】
2019190042.tif 000010
【図９】
2019190042.tif 000011
【図１０】
2019190042.tif 000012
【図１１】
2019190042.tif 000013